(57)【要約】【課題】  表示品位の低下を抑制することが可能な表示装置を提供する。【解決手段】  第１主面、第１主面と反対側の第１対向面、及び側面を有する第１透明基板を有する第１基板と、前記第１対向面に対向する第２主面、及び前記第２主面と反対側の第２対向面を有する第２透明基板を有する第２基板と、前記第１基板と前記第２基板との間に位置し、筋状のポリマー及び液晶分子を含む液晶層と、を備える表示パネルと、  前記側面に対向し、前記側面に向かって光を出射する発光素子と、前記表示パネルと対向する第３透明基板と、前記表示パネル及び前記第３透明基板の間に位置し、前記第１透明基板及び前記第２透明基板の第１屈折率よりも低い第２屈折率である透明層と、を備えている、表示装置。【選択図】  図３
2020060644.tif 000002
【特許請求の範囲】
【請求項１】
第１主面、第１主面と反対側の第１対向面、及び側面を有する第１透明基板を有する第１基板と、前記第１対向面に対向する第２主面、及び前記第２主面と反対側の第２対向面を有する第２透明基板を有する第２基板と、前記第１基板と前記第２基板との間に位置し、筋状のポリマー及び液晶分子を含む液晶層と、を備える表示パネルと、
前記側面に対向し、前記側面に向かって光を出射する発光素子と、
前記表示パネルと対向する第３透明基板と、
前記表示パネル及び前記第３透明基板の間に位置し、前記第１透明基板及び前記第２透明基板の第１屈折率よりも低い第２屈折率である透明層と、を備えている、表示装置。
【請求項２】
前記第３透明基板は、ガラス基板である、請求項１に記載の表示装置。
【請求項３】
前記第３透明基板は、前記表示パネルよりも大きい、請求項１又は２に記載の表示装置。
【請求項４】
前記第３透明基板は、前記第１主面と対向し、
前記透明層は、前記第１主面に接触している、請求項１乃至３のいずれか１項に記載の表示装置。
【請求項５】
前記第３透明基板は、底面と第１内面と前記第１内面と対向する第２内面とを有する凹部を有し、
前記表示パネルは、前記凹部に収納されている、請求項３に記載の表示装置。
【請求項６】
前記表示パネルは、前記側面に交差し、前記第１内面と対向している第１面と、前記第２内面と対向する第２面と有し、
前記透明層は、前記第１主面及び前記底面の間と、前記第１面及び前記第１内面の間と、前記第２面及び前記第２内面との間とに位置している、請求項５に記載の表示装置。
【請求項７】
前記第３透明基板は、レンズである、請求項１乃至６のいずれか１項に記載の表示装置。
【請求項８】
前記第３透明基板は、フィルムである、請求項１乃至６のいずれか１項に記載の表示装置。
【請求項９】
前記第３透明基板は、タッチパネルである、請求項１乃至６のいずれか１項に記載の表示装置。
【請求項１０】
前記第１基板は、第１対向面側に位置する共通電極を有し、
前記第２基板は、前記第２主面側に位置する走査線及び信号線と、前記走査線及び信号線と電気的に接続されたスイッチング素子と、前記スイッチング素子に電気的に接続され、前記共通電極と対向する画素電極とを有する、請求項１乃至９のいずれか１項に記載の表示装置。
【請求項１１】
前記第２屈折率は、１．０以上１．４１以下である、請求項１乃至１０のいずれか１項に記載の表示装置。
【請求項１２】
第１主面、第１主面と反対側の第１対向面、及び側面を有する第１透明基板を有する第１基板と、前記第１対向面に対向する第２主面、及び前記第２主面と反対側の第２対向面を有する第２透明基板を有する第２基板と、前記第１基板と前記第２基板との間に位置し、筋状のポリマー及び液晶分子を含む液晶層と、を備える表示パネルと、
前記側面に対向し、前記側面に向かって光を出射する発光素子と、
前記表示パネルと対向する第３透明基板と、
前記表示パネル及び前記第３透明基板の間に位置し、前記第１透明基板及び前記第２透明基板の第１屈折率よりも低い第２屈折率である透明層と、を備えている、照明装置。
【請求項１３】
第１主面、第１主面と反対側の第１対向面、及び側面を有する第１透明基板を有する第１基板と、前記第１対向面に対向する第２主面、及び前記第２主面と反対側の第２対向面を有する第２透明基板を有する第２基板と、前記第１基板と前記第２基板との間に位置し、筋状のポリマー及び液晶分子を含む液晶層と、前記第１透明基板及び前記第２透明基板の第１屈折率よりも低い第２屈折率であって前記第１主面、又は前記第２対向面の少なくとも一方に設けられた透明層と、を備える表示パネルと、
前記側面に対向し、前記側面に向かって光を出射する発光素子と、
を備えている、表示装置。
【発明の詳細な説明】
【技術分野】
【０００１】
本発明の実施形態は、表示装置及び照明装置に関する。
【背景技術】
【０００２】
近年、様々な形態の表示装置が提案されている。導光板に接着された光変調素子内に、光学異方性を有したバルクおよび微粒子を含んだ光変調層を備える照明装置が開示されている。その他の例では、高分子分散型液晶を含み、入射光の強度を変換する光変換部を備える光源装置が開示されている。
【先行技術文献】
【特許文献】
【０００３】
【特許文献１】特開２０１０−９２６８２号公報
【特許文献２】特開２０１６−５７３３８号公報
【発明の概要】
【発明が解決しようとする課題】
【０００４】
本実施形態の目的は、表示品位の低下を抑制することが可能な表示装置を提供することにある。
【課題を解決するための手段】
【０００５】
一実施形態に係る表示装置は、第１主面、第１主面と反対側の第１対向面、及び側面を有する第１透明基板を有する第１基板と、前記第１対向面に対向する第２主面、及び前記第２主面と反対側の第２対向面を有する第２透明基板を有する第２基板と、前記第１基板と前記第２基板との間に位置し、筋状のポリマー及び液晶分子を含む液晶層と、を備える表示パネルと、前記側面に対向し、前記側面に向かって光を出射する発光素子と、前記表示パネルと対向する第３透明基板と、前記表示パネル及び前記第３透明基板の間に位置し、前記第１透明基板及び前記第２透明基板の第１屈折率よりも低い第２屈折率である透明層と、を備えている。
【０００６】
他の実施形態に係る照明装置は、第１主面、第１主面と反対側の第１対向面、及び側面を有する第１透明基板を有する第１基板と、前記第１対向面に対向する第２主面、及び前記第２主面と反対側の第２対向面を有する第２透明基板を有する第２基板と、前記第１基板と前記第２基板との間に位置し、筋状のポリマー及び液晶分子を含む液晶層と、を備える表示パネルと、前記側面に対向し、前記側面に向かって光を出射する発光素子と、前記表示パネルと対向する第３透明基板と、前記表示パネル及び前記第３透明基板の間に位置し、前記第１透明基板及び前記第２透明基板の第１屈折率よりも低い第２屈折率である透明層と、を備えている。
【０００７】
他の実施形態に係る表示装置は、第１主面、第１主面と反対側の第１対向面、及び側面を有する第１透明基板を有する第１基板と、前記第１対向面に対向する第２主面、及び前記第２主面と反対側の第２対向面を有する第２透明基板を有する第２基板と、前記第１基板と前記第２基板との間に位置し、筋状のポリマー及び液晶分子を含む液晶層と、前記第１透明基板及び前記第２透明基板の第１屈折率よりも低い第２屈折率であって前記第１主面、又は前記第２対向面の少なくとも一方に設けられた透明層と、を備える表示パネルと、前記側面に対向し、前記側面に向かって光を出射する発光素子と、
を備えている。
【図面の簡単な説明】
【０００８】
【図１】図１は、実施形態の表示装置の一構成例を示す平面図である。
【図２】図２は、図１に示した表示装置の主要部を示す斜視図である。
【図３】図３は、図２に示した表示装置の一構成例を示す断面図である。
【図４】図４は、実施形態の表示装置の一構成例を示す断面図である。
【図５】図５は、図３に示した表示装置の他の構成例を示す断面図である。
【図６】図６は、図４に示した表示装置の他の構成例を示す断面図である。
【図７】図７は、図４に示した表示装置の他の構成例を示す断面図である。
【図８】図８は、図４に示した表示装置の他の構成例を示す断面図である。
【図９】図９は、実施形態の表示装置の他の構成例を示す平面図である。
【図１０】図１０は、図９に示したＡ−Ａ線に沿った表示装置の断面図である。
【図１１】図１１は、実施形態の表示装置の他の構成例を示す断面図である。
【発明を実施するための形態】
【０００９】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００１０】
図１は、本実施形態の表示装置ＤＳＰの一構成例を示す平面図である。一例では、第１方向Ｘ、第２方向Ｙ、及び、第３方向Ｚは、互いに直交しているが、９０度以外の角度で交差していてもよい。第１方向Ｘ及び第２方向Ｙは、表示装置ＤＳＰを構成する基板の主面や主面に対向する対向面等に平行な方向に相当し、第３方向Ｚは、表示装置ＤＳＰの厚さ方向に相当する。本明細書において、第２基板ＳＵＢ２から第１基板ＳＵＢ１に向かう方向を「上側」（あるいは、単に上）と称し、第１基板ＳＵＢ１から第２基板ＳＵＢ２に向かう方向を「下側」（あるいは、単に下）と称する場合もある。「第１部材の上の第２部材」及び「第１部材の下の第２部材」とした場合、第２部材は、第１部材に接していてもよいし、第１部材から離間していてもよい。また、第３方向Ｚを示す矢印の先端側から第１方向Ｘ及び第２方向Ｙで規定されるＸ−Ｙ平面を見ることを平面視という。
【００１１】
本実施形態においては、表示装置ＤＳＰの一例として、高分子分散型液晶を適用した液晶表示装置について説明する。表示装置ＤＳＰは、表示パネルＰＮＬと、ＩＣチップ１と、配線基板２と、を備えている。
表示パネルＰＮＬは、第１基板ＳＵＢ１と、第２基板ＳＵＢ２と、液晶層ＬＣと、シールＳＥと、を備えている。第１基板ＳＵＢ１及び第２基板ＳＵＢ２は、Ｘ−Ｙ平面と平行な平板状に形成されている。第１基板ＳＵＢ１及び第２基板ＳＵＢ２は、平面視で、重畳している。第１基板ＳＵＢ１及び第２基板ＳＵＢ２は、シールＳＥによって接着されている。液晶層ＬＣは、第１基板ＳＵＢ１と第２基板ＳＵＢ２との間に保持され、シールＳＥによって封止されている。図１において、液晶層ＬＣ及びシールＳＥは、異なる斜線で示している。
【００１２】
図１において拡大して模式的に示すように、液晶層ＬＣは、ポリマー３１と、液晶分子３２と、を含む高分子分散型液晶を備えている。一例では、ポリマー３１は、液晶性ポリマーである。ポリマー３１は、第１方向Ｘに沿って延出した筋状に形成されている。液晶分子３２は、ポリマー３１の隙間に分散され、その長軸が第１方向Ｘに沿うように配向される。ポリマー３１及び液晶分子３２の各々は、光学異方性あるいは屈折率異方性を有している。ポリマー３１の電界に対する応答性は、液晶分子３２の電界に対する応答性より低い。
【００１３】
一例では、ポリマー３１の配向方向は、電界の有無にかかわらずほとんど変化しない。一方、液晶分子３２の配向方向は、液晶層ＬＣにしきい値以上の高い電圧が印加された状態では、電界に応じて変化する。液晶層ＬＣに電圧が印加されていない状態では、ポリマー３１及び液晶分子３２のそれぞれの光軸は互いに平行であり、液晶層ＬＣに入射した光は、液晶層ＬＣ内でほとんど散乱されることなく透過する（透明状態）。液晶層ＬＣに電圧が印加されていない状態では、ポリマー３１及び液晶分子３２のそれぞれの光軸は互いに交差し、液晶層ＬＣに入射した光は、液晶層ＬＣ内で散乱される（散乱状態）。
【００１４】
表示パネルＰＮＬは、画像を表示する表示部ＤＡと、表示部ＤＡを囲む額縁状の非表示部ＮＤＡと、を備えている。シールＳＥは、非表示部ＮＤＡに位置している。表示部ＤＡは、第１方向Ｘ及び第２方向Ｙにマトリクス状に配列された画素ＰＸを備えている。
【００１５】
図１において拡大して示すように、各画素ＰＸは、スイッチング素子ＳＷ、画素電極ＰＥ、共通電極ＣＥ、液晶層ＬＣ等を備えている。スイッチング素子ＳＷは、例えば薄膜トランジスタ（ＴＦＴ）によって構成され、走査線Ｇ及び信号線Ｓと電気的に接続されている。走査線Ｇは、第１方向Ｘに並んだ画素ＰＸの各々におけるスイッチング素子ＳＷと電気的に接続されている。信号線Ｓは、第２方向Ｙに並んだ画素ＰＸの各々におけるスイッチング素子ＳＷと電気的に接続されている。画素電極ＰＥは、スイッチング素子ＳＷと電気的に接続されている。画素電極ＰＥの各々は、共通電極ＣＥと対向し、画素電極ＰＥと共通電極ＣＥとの間に生じる電界によって液晶層ＬＣ（特に、液晶分子３２）を駆動している。容量ＣＳは、例えば、共通電極ＣＥと同電位の電極、及び、画素電極ＰＥと同電位の電極の間に形成される。
【００１６】
第２基板ＳＵＢ２は、延出部Ｅｘを有している。図示した例において、延出部Ｅｘは、第２基板ＳＵＢ２が第１基板ＳＵＢ１と重畳しない領域に相当する。
ＩＣチップ１及び配線基板２は、それぞれ延出部Ｅｘに接続されている。ＩＣチップ１は、例えば、画像表示に必要な信号を出力するディスプレイドライバなどを内蔵している。配線基板２は、折り曲げ可能なフレキシブルプリント回路基板である。なお、ＩＣチップ１は、配線基板２に接続されていてもよい。ＩＣチップ１及び配線基板２は、表示パネルＰＮＬからの信号を読み出す場合もあるが、主として表示パネルＰＮＬに信号を供給する信号源として機能する。
【００１７】
図２は、図１に示した表示装置ＤＳＰの主要部を示す斜視図である。  
表示装置ＤＳＰは、表示パネルＰＮＬの他に、複数の発光素子ＬＤ１と、透明層ＬＬ１と、第３基板ＳＵＢ３とを備えている。一例として、第３基板ＳＵＢ３は、窓ガラス、自動車のフロントガラス、ＵＶ(Ultra Violet)カットフィルム、装飾フィルム、タッチパネル、液晶パネルや、レンズを含む。なお、発光素子ＬＤ１は、１つであってもよい。  
第１基板ＳＵＢ１は、透明基板１０を備えている。透明基板１０は、第２方向Ｙに向かう側面Ｅ１１と、第２方向Ｙにおいて側面Ｅ１１と反対側の側面Ｅ１２と、第１方向Ｘに向かう側面Ｅ１３と、第１方向Ｘにおいて側面Ｅ１３と反対側の側面Ｅ１４とを有している。側面Ｅ１３及びＥ１４は、それぞれ、側面Ｅ１１及びＥ１２に交差する。第２基板ＳＵＢ２は、透明基板２０を備えている。透明基板２０は、第２方向Ｙに向かう側面Ｅ２１と、第２方向Ｙにおいて側面Ｅ２１と反対側の側面Ｅ２２と、第１方向Ｘに向かう側面Ｅ２３と、第１方向Ｘにおいて側面Ｅ２３と反対側の側面Ｅ２４とを有している。側面Ｅ２１は、第２方向Ｙにおいて、側面Ｅ１１と同じ方向に向かっている。側面Ｅ２２は、第２方向Ｙにおいて、側面Ｅ２１と反対方向に向かっている。言い換えると、側面Ｅ２２は、側面Ｅ１１と反対方向に向かっている。側面Ｅ２３及びＥ２４は、それぞれ、側面Ｅ２１及びＥ２２に交差する。
【００１８】
側面Ｅ１１及びＥ２１は、第１方向Ｘに沿って延出しており、第２方向Ｙにおいて一致していない。延出部Ｅｘは、側面Ｅ１１と側面Ｅ２１との間において第２方向Ｙに沿って延出している。言い換えると、延出部Ｅｘは、第２方向Ｙにおいて側面Ｅ１１から外側に延出している。側面Ｅ１１及びＥ２１の少なくとも一方を表示パネルＰＮＬの側面ＥＳ１と称する場合もある。側面Ｅ１２及びＥ２２は、第１方向Ｘに沿って延出しており、第２方向Ｙにおいて一致している。側面Ｅ１２及びＥ２２をまとめて表示パネルＰＮＬの側面ＥＳ２と称する場合もある。側面ＥＳ２は、側面Ｅ１１に対向している。側面Ｅ１３及びＥ２３は、第２方向Ｙに沿って延出しており、第１方向Ｘにおいて一致している。側面Ｅ１３及びＥ２３をまとめて表示パネルＰＮＬの側面ＥＳ３と称する場合もある。側面ＥＳ３は、側面ＥＳ１及びＥＳ２に交差する。側面Ｅ１４及びＥ２４は、第２方向Ｙに沿って延出しており、第１方向Ｘにおいて一致している。側面Ｅ１４及びＥ２４をまとめて表示パネルＰＮＬの側面ＥＳ４と称する場合もある。側面ＥＳ４は、側面ＥＳ１及びＥＳ２に交差する。
【００１９】
複数の発光素子ＬＤ１は、第１方向Ｘに間隔をおいて並び、側面Ｅ１１に対向している。図示した例では、複数の発光素子ＬＤ１は、延出部Ｅｘに重畳している。複数の発光素子ＬＤ１は、配線基板Ｆ１に接続されている。発光素子ＬＤ１は、例えば、発光ダイオードである。発光素子ＬＤ１は、詳述しないが、赤発光部、緑発光部、及び、青発光部を備えている。発光素子ＬＤ１から出射される光は、第２方向Ｙを示す矢印の向きに沿って進行する。言い換えるとは、発光素子ＬＤ１は、側面Ｅ１１に向かって光を出射する。
【００２０】
第３基板ＳＵＢ３は、表示パネルＰＮＬに対向している。図示した例では、第３基板ＳＵＢ３は、第３方向Ｚにおいて、第１基板ＳＵＢ１に対して第２基板ＳＵＢ２と反対側に位置している。第３基板ＳＵＢ３は、透明基板３０を備えている。透明基板３０は、表示パネルＰＮＬに対向している。図示した例では、透明基板３０は、第３方向Ｚにおいて、第１基板ＳＵＢ１に対して第２基板ＳＵＢ２と反対側に位置している。透明基板３０は、Ｘ−Ｙ平面において、透明基板１０及び透明基板２０よりも大きい。言い換えると、透明基板３０は、Ｘ−Ｙ平面において、表示パネルＰＮＬよりも大きい。そのため、透明基板３０は、発光素子ＬＤ１、配線基板Ｆ１、及び延出部Ｅｘに対向している。なお、透明基板３０は、Ｘ−Ｙ平面において、第１基板ＳＵＢ１と同じ大きさであってもよいし、第１基板ＳＵＢ１の大きさよりも小さくてもよい。この場合、透明基板３０は、発光素子ＬＤ１、配線基板Ｆ１、及び延出部Ｅｘに対向していない。透明層ＬＬ１は、第１基板ＳＵＢ１及び第３基板ＳＵＢ３の間に位置している。なお、透明基板１０、２０、及び３０は、それぞれ、複数の透明基板で形成されていてもよい。第１基板ＳＵＢ１は、透明層ＬＬ１を含んでいてもよい。
【００２１】
図３は、図２に示した表示装置ＤＳＰの一構成例を示す断面図である。ここでは、第１方向Ｘ及び第３方向Ｚによって規定されるＸ−Ｚ平面の断面について説明する。  
第２基板ＳＵＢ２は、透明基板２０と、絶縁層２１及び２２と、容量電極２３と、スイッチング素子ＳＷと、画素電極ＰＥと、配向膜ＡＬ２と、を備えている。第２基板ＳＵＢ２は、さらに、図１に示した走査線Ｇ及び信号線Ｓを備えている。透明基板２０は、主面（上面）２０Ａと、主面２０Ａの反対側の対向面（下面）２０Ｂと、を備えている。主面２０Ａ及び対向面２０Ｂは、Ｘ−Ｙ平面に沿って略平行に広がっている。スイッチング素子ＳＷは、主面２０Ａ側に配置されている。図示した例では、スイッチング素子ＳＷは、主面２０Ａの上に位置している。絶縁層２１は、スイッチング素子ＳＷを覆い、スイッチング素子ＳＷまで貫通するコンタクトホールＣＨを有している。容量電極２３は、絶縁層２１の上に位置し、開口部ＯＰを有している。絶縁層２２は、容量電極２３の上に位置している。また、絶縁層２２は、開口部ＯＰでは、絶縁層２１の上に位置している。画素電極ＰＥは、画素ＰＸ毎に配置され、絶縁層２２の上に位置している。画素電極ＰＥは、開口部ＯＰ及びコンタクトホールＣＨを介してスイッチング素子ＳＷと電気的に接続されている。画素電極ＰＥは、絶縁層２２を挟んで、容量電極２３と重畳し、画素ＰＸの容量ＣＳを形成している。配向膜ＡＬ２は、第１方向Ｘに沿って途切れることなく連続的に設けられ、複数の画素電極ＰＥを覆っている。また、第１方向Ｘに隣接する画素電極ＰＥの間においては、配向膜ＡＬ２は、絶縁層２２に接している。なお、第２基板ＳＵＢ２は、図示した例に限らず、他の絶縁層や他の各種層を含んでいてもよい。
【００２２】
第１基板ＳＵＢ１は、透明基板１０と、遮光層ＢＭと、共通電極ＣＥと、透明基板４０と、配向膜ＡＬ１と、を備えている。透明基板１０は、主面（上面）１０Ａと、主面１０Ａの反対側の対向面（下面）１０Ｂと、を備えている。主面１０Ａ及び対向面１０Ｂは、Ｘ−Ｙ平面に沿って略平行に広がっている。透明基板１０は、透明基板２０の主面２０Ａ側に位置している。透明基板１０の対向面１０Ｂは、主面２０Ａと液晶層ＬＣを介して対向している。遮光層ＢＭ及び共通電極ＣＥは、対向面１０Ｂ側に配置されている。遮光層ＢＭは、例えば、スイッチング素子ＳＷの直上、及び、図示しない走査線Ｇ及び信号線Ｓの直上にそれぞれ位置している。共通電極ＣＥは、複数の画素ＰＸに亘って配置され、遮光層ＢＭを直接覆っている。共通電極ＣＥは、容量電極２３と電気的に接続されており、容量電極２３とは同電位である。配向膜ＡＬ１は、共通電極ＣＥを覆っている。なお、第１基板ＳＵＢ１は、図示した例に限らず、他の絶縁層や他の各種層を含んでいてもよい。
【００２３】
第３基板ＳＵＢ３は、透明基板３０を備えている。透明基板３０は、主面（上面）３０Ａと、主面３０Ａの反対側の対向面（下面）３０Ｂと、を備えている。主面３０Ａ及び対向面３０Ｂは、Ｘ−Ｙ平面に沿って略平行に広がっている。透明基板３０は、透明基板１０の主面１０Ａ側に位置している。透明基板３０の対向面３０Ｂは、主面１０Ａと透明層ＬＬ１を介して対向している。なお、第３基板ＳＵＢ３は、図示した例に限らず、透明基板３０の他に各種層を含んでいてもよい。
【００２４】
透明層ＬＬ１は、第１基板ＳＵＢ１と第３基板ＳＵＢ３との間に位置している。図示した例では、透明層ＬＬ１は、主面１０Ａの全面に亘って配置され、主面１０Ａと対向面３０Ｂとに接触している。なお、透明層ＬＬ１は、主面１０Ａの全面に亘って配置されていなくともよい。透明層ＬＬ１と透明基板１０との間に各種層が配置されていてもよい。また、透明層ＬＬ１と透明基板３０との間に各種層が配置されていてもよい。  
液晶層ＬＣは、第１基板ＳＵＢ１と第２基板ＳＵＢ２との間に位置し、配向膜ＡＬ１及びＡＬ２のそれぞれに接している。
【００２５】
透明基板１０、２０、及び３０は、ガラス基板やプラスチック基板などの絶縁基板である。なお、透明基板３０は、例えば、ＵＶ(Ultra Violet)カットフィルム及び装飾フィルム等のフィルム、タッチパネル、液晶パネルや、レンズであってもよい。絶縁層２１は、シリコン酸化物、シリコン窒化物、シリコン酸窒化物、アクリル樹脂などの透明な絶縁材料によって形成されている。一例では、絶縁層２１は、無機絶縁層及び有機絶縁層を含んでいる。絶縁層２２は、シリコン窒化物などの無機絶縁層である。容量電極２３、画素電極ＰＥ、及び、共通電極ＣＥは、インジウム錫酸化物（ＩＴＯ）やインジウム亜鉛酸化物（ＩＺＯ）などの透明導電材料によって形成された透明電極である。遮光層ＢＭは、例えば、共通電極ＣＥよりも低抵抗な導電層である。一例では、遮光層ＢＭは、モリブデン、アルミニウム、タングステン、チタン、銀などの不透明な金属材料によって形成されている。透明層ＬＬ１は、例えば、シロキサン系樹脂や、フッ素系樹脂などの有機材料によって形成された絶縁層である。また、透明層ＬＬ１は、透明な接着層、例えば、シリコン系のＯＣＡ（Optical Clear Adhesive）やＯＣＲ（Optical Clear Resin）であってもよい。配向膜ＡＬ１及びＡＬ２は、Ｘ−Ｙ平面に略平行な配向規制力を有する水平配向膜である。一例では、配向膜ＡＬ１及びＡＬ２は、第１方向Ｘに沿って配向処理されている。なお、配向処理とは、ラビング処理であってもよいし、光配向処理であってもよい。
【００２６】
透明基板１０は、屈折率ｎ１０であり、透明基板２０は、屈折率ｎ２０であり、透明層ＬＬ１は、屈折率ｎＬＬ１である。屈折率ｎＬＬ１は、屈折率ｎ１０及びｎ２０より低い。一例では、透明基板１０及び２０は、同一材料でされており、屈折率ｎ１０及びｎ２０は同等である。ここで、「屈折率が同等である」とは、屈折率差がゼロの場合に限らず、屈折率差が０．０３以下の場合を含む。例えば、屈折率ｎ１０及びｎ２０は１．５程度であり、屈折率ｎＬＬ１は、１．０以上１．４１以下である。なお、図３に示した例では、透明基板２０の対向面２０Ｂは空気に接しているが、透明層ＬＬ１の屈折率ｎＬＬ１と同等の屈折率を有する他の透明層が対向面２０Ｂの全面に配置されてもよい。また、透明基板１０と透明層ＬＬ１との間の他の層が配置されている場合、透明層ＬＬ１の屈折率ｎＬＬ１は、透明基板１０と透明層ＬＬ１との間に配置された層の屈折率よりも小さい。
【００２７】
図４は、本実施形態の表示装置ＤＳＰの一構成例を示す断面図である。なお、表示パネルＰＮＬについては、主要部のみを図示している。図４を参照しながら、発光素子ＬＤ１及び発光素子ＬＤ１からの出射光について説明する。  
図示した例では、発光素子ＬＤ１は、第２基板ＳＵＢ２及び第３基板ＳＵＢ３の間に位置している。言い換えると、発光素子ＬＤ１は、透明基板２０及び３０の間の位置している。発光素子ＬＤ１は、第３方向Ｚにおいて、透明基板３０側に位置している。発光素子ＬＤ１は、透明基板１０の側面Ｅ１１に対向し、透明基板２０に対向していない。なお、発光素子ＬＤ１は、側面Ｅ１２に対向するように配置されていてもよい。配線基板Ｆ１は、発光素子ＬＤ１及び第３基板ＳＵＢ３の間に位置している。言い換えると、配線基板Ｆ１は、発光素子ＬＤ１及び透明基板３０の間に位置している。なお、透明基板３０が第２方向Ｙにおいて透明基板１０と同じ大きさ又は透明基板１０よりも小さい場合であっても、発光素子ＬＤ１は、例えば、透明基板３０に対向していない。
【００２８】
発光素子ＬＤ１は、側面Ｅ１１に向けて光Ｌ１を出射する。発光素子ＬＤ１と側面Ｅ１１との間には空気層が存在するため、発光素子ＬＤ１から出射された光Ｌ１は、側面Ｅ１１で屈折し、透明基板１０に入射する。透明基板１０に入射した光Ｌ１の内の遮光層ＢＭに向かって進行する光は、遮光層ＢＭで反射される。また、透明基板１０に入射した光Ｌ１の内の透明層ＬＬ１に向かって進行する光は、透明基板１０と透明層ＬＬ１との界面で反射される。透明基板１０に入射した光Ｌ１の内の隣接する２つの遮光層ＢＭの間を進行する光は、液晶層ＬＣに入射する。言い換えると、透明基板１０に入射した光Ｌ１の内の透明基板１０と共通電極ＣＥとが接触している領域に向かって進行する光は、液晶層ＬＣに入射する。液晶層ＬＣに入射した光Ｌ１は、透明状態の画素を透過し、散乱状態の画素で散乱される。表示装置ＤＳＰは、主面１０Ａ側の観察位置ＶＰ１から観察可能であるとともに、対向面２０Ｂ側の観察位置ＶＰ２からも観察可能である。また、表示装置ＤＳＰは、観察位置ＶＰ１から観察した場合であっても、観察位置ＶＰ２から観察した場合であっても、表示装置ＤＳＰを介して、表示装置ＤＳＰの背景を観察可能である。そのため、観察位置ＶＰ１及びＶＰ２から観察した場合、表示パネルＰＮＬが第３基板ＳＵＢ３（透明基板３０）に貼り付けられた領域では、観察位置ＶＰ１又はＶＰ２と反対側の背景に重ねて、発光素子ＬＤ１から出射された光により表示パネルＰＮＬに表示される画像を確認することができる。
【００２９】
本実施形態によれば、透明層ＬＬ１が存在する領域においては、発光素子ＬＤ１から出射された光は、第１基板ＳＵＢ１（透明基板１０）と透明層ＬＬ１との境界で反射され、透明基板１０内を進行して、液晶層ＬＣに入射する。これにより、発光素子ＬＤ１から出射された光が第３基板ＳＵＢ３（透明基板３０）に入射することを抑制することできる。そのため、第３基板ＳＵＢ３での不所望な吸収や散乱を抑制することができ、発光素子ＬＤ１から出射された光を表示パネルＰＮＬ内で効率的に利用することが可能となる。したがって、本実施形態によれば、表示品位の低下を抑制することができる。  
なお、前述した表示装置ＤＳＰは、例えば、部分駆動（ローカルディミング）のバックライトとして利用することができる。そのため、表示装置ＤＳＰを照明装置ＤＳＰと称する場合もある。また、走査線Ｇ、信号線Ｓ、スイッチング素子ＳＷ、及び、画素電極ＰＥが第１基板ＳＵＢ１に設けられ、共通電極ＣＥが第２基板ＳＵＢ２に設けられていてもよい。
【００３０】
次に、本実施形態の他の構成例について説明する。  
図５は、図３に示した表示装置ＤＳＰの他の構成例を示す断面図である。図６に示した構成例は、図３に示した構成例と比較して、接着層ＡＤを備えている点で相違している。
接着層ＡＤは、透明層ＬＬ１と第３基板ＳＵＢ３との間に位置している。図示した例では、接着層ＡＤは、透明層ＬＬ１と透明基板３０との間に位置し、透明層ＬＬ１と透明基板３０とを接着している。言い換えると、接着層ＡＤは、透明層ＬＬ１を介して表示パネルＰＮＬと第３基板ＳＵＢ３（透明基板３０）とを接着している。なお、接着層ＡＤと透明基板３０との間には、各種層が配置されていてもよい。また、接着層ＡＤと透明層ＬＬ１との間には、各種層が配置されていてもよい。このような構成例においても、前述した実施形態と同様の効果が得られる。
【００３１】
図６は、図４に示した表示装置ＤＳＰの他の構成例を示す断面図である。図６に示した構成例は、図４に示した構成例と比較して、第４基板ＳＵＢ４と透明層ＬＬ２とを備えている点で相違している。  
表示装置ＤＳＰは、透明層ＬＬ２と、第４基板ＳＵＢ４とをさらに備えている。第４基板ＳＵＢ４は、表示パネルＰＮＬに対向している。図示した例では、第４基板ＳＵＢ４は、第３方向Ｚにおいて、第２基板ＳＵＢ２に対して第１基板ＳＵＢ１と反対側に位置している。第４基板ＳＵＢ４は、透明基板４０を備えている。透明基板４０は、表示パネルＰＮＬに対向している。図示した例では、透明基板４０は、第３方向Ｚにおいて、第２基板ＳＵＢ２に対して第１基板ＳＵＢ１と反対側に位置している。透明基板４０は、Ｘ−Ｙ平面において、透明基板１０及び透明基板２０よりも大きい。言い換えると、透明基板４０は、Ｘ−Ｙ平面において、表示パネルＰＮＬよりも大きい。なお、透明基板４０は、Ｘ−Ｙ平面において、第２基板ＳＵＢ２と同じ大きさであってもよいし、第２基板ＳＵＢ２の大きさよりも小さくてもよい。透明基板４０は、複数の透明基板で形成されていてもよい。また、第２基板ＳＵＢ２は、透明層ＬＬ２を含んでいてもよい。
【００３２】
透明基板４０は、主面（上面）４０Ａと、主面４０Ａと反対側の対向面（下面）４０Ｂとを備えている。主面４０Ａ及び対向面４０Ｂは、Ｘ−Ｙ平面に沿って略平行に広がっている。透明基板４０は、透明基板２０の対向面２０Ｂ側に位置している。透明基板４０の主面４０Ａは、対向面２０Ｂと透明層ＬＬ２を介して対向している。なお、第４基板ＳＵＢ４は、図示した例に限らず、透明基板４０の他に各種層を含んでいてもよい。
【００３３】
透明層ＬＬ２は、第２基板ＳＵＢ２と第４基板ＳＵＢ４との間に位置している。図示した例では、透明層ＬＬ２は、対向面２０Ｂの全面に亘って配置され、対向面２０Ｂと主面４０Ａとに接触している。なお、透明層ＬＬ２は、対向面２０Ｂの全面に亘って配置されていなくともよい。透明層ＬＬ２と透明基板２０との間に各種層が配置されていてもよい。また、透明層ＬＬ２と透明基板４０との間に各種層が配置されていてもよい。
【００３４】
透明基板４０は、例えば、透明基板３０と同じ材料で形成されている。透明層ＬＬ２は、例えば、透明層ＬＬ１と同じ材料で形成されている。透明層ＬＬ２は、屈折率ｎＬＬ２である。屈折率ｎＬＬ２は、例えば、ｎＬＬ１は同等である。なお、透明基板２０と透明層ＬＬ２との間の他の層が配置されている場合、透明層ＬＬ２の屈折率ｎＬＬ２は、透明基板２０と透明層ＬＬ２との間に配置された層の屈折率よりも小さい。  
このような構成例においても、前述した実施形態と同様の効果が得られる。
【００３５】
図７は、図４に示した表示装置ＤＳＰの他の構成例を示す断面図である。図７に示した構成例は、図４に示した表示装置ＤＳＰに図６に示した第４基板ＳＵＢ４及び透明層ＬＬ２を組み合わせた例に相当する。このような構成例においても、前述した実施形態と同様の効果が得られる。
【００３６】
図８は、図４に示した表示装置ＤＳＰの他の構成例を示す断面図である。図８に示した構成例は、図７に示した表示装置ＤＳＰにさらに発光素子ＬＤ２を追加した点で相違している。  
表示装置ＤＳＰは、発光素子ＬＤ２をさらに備えている。発光素子ＬＤ２は、側面Ｅ２２に対向している。図示した例では、配線基板Ｆ２に接続されている。発光素子ＬＤ２は、例えば、発光素子ＬＤ１と同等の構成である。発光素子ＬＤ２は、第３基板ＳＵＢ３及び第４基板ＳＵＢ４の間に位置している。言い換えると、発光素子ＬＤ２は、透明基板３０及び４０の間に位置している。発光素子ＬＤ２は、第３方向Ｚにおいて、透明基板４０側に位置している。発光素子ＬＤ２は、透明基板２０の側面Ｅ２２に対向し、透明基板４０に対向していない。なお、発光素子ＬＤ２は、側面Ｅ２１に対向するように配置されていてもよい。配線基板Ｆ２は、発光素子ＬＤ２及び透明基板４０の間に位置している。なお、透明基板４０が第２方向Ｙにおいて透明基板２０と同じ大きさ又は透明基板２０よりも小さい場合であっても、発光素子ＬＤ１は、例えば、透明基板４０に対向していない。発光素子ＬＤ２は、側面Ｅ２２に向けて光を出射する。発光素子ＬＤ２と側面Ｅ２２との間には空気層が存在するため、発光素子ＬＤ２から出射された光は、側面Ｅ２２で屈折し、透明基板２０に入射する。透明基板２０に入射した光の内の透明層ＬＬ２に向かって進行する光は、透明基板２０と透明層ＬＬ２との界面で反射される。このような構成例においても、前述した実施形態と同様の効果が得られる。
【００３７】
次に、図９及び図１０を参照して、表示装置ＤＳＰの他の構成例について説明する。  
図９は、本実施形態の表示装置ＤＳＰの他の構成例を示す平面図である。図９に示した構成例は、第３基板ＳＵＢ３内に表示パネルＰＮＬが収納されている点で相違している。
第３基板ＳＵＢ３は、凹部ＲＣを有している。図示した例では、凹部ＲＣは、透明基板３０に矩形状に形成されている。平面視した場合、凹部ＲＣは、表示パネルＰＮＬよりも大きい。凹部ＲＣは、第２方向Ｙに向かう内面ＩＳ１と、第２方向Ｙにおいて内面ＩＳ１に対向する内面ＩＳ２と、第１方向Ｘに向かう内面ＩＳ３と、第１方向Ｘにおいて内面ＩＳ３と対向する内面ＩＳ４とを有している。なお、凹部ＲＣは、矩形状以外の形状、例えば、円形状、又は多角形状に形成されていてもよい。表示パネルＰＮＬ及び発光素子ＬＤ１は、凹部ＲＣに重畳している。表示パネルＰＮＬの側面ＥＳ１は、内面ＩＳ１に対向している。表示パネルＰＮＬの側面ＥＳ２は、内面ＩＳ２に対向している。表示パネルＰＮＬの側面ＥＳ３は、内面ＩＳ３に対向している。表示パネルＰＮＬの側面ＥＳ４は、内面ＩＳ４に対向している。図９に示した例では、延出部Ｅｘ及び発光素子ＬＤ１は、内面ＩＳ１側に位置している。
【００３８】
表示装置ＤＳＰは、透明層ＬＬＳ１及びＬＬＳ２をさらに備えている。透明層ＬＬＳ１は、表示パネルＰＮＬの側面ＥＳ３と凹部ＲＣの内面ＩＳ３との間に位置している。透明層ＬＬＳ２は、表示パネルＰＮＬの側面ＥＳ４と凹部ＲＣの内面ＩＳ４との間に位置している。透明層ＬＬＳ１及び透明層ＬＬＳ２は、例えば、透明層ＬＬ１と同じ材料で形成されている。なお、表示パネルＰＮＬの側面ＥＳ２と凹部ＲＣの内面ＩＳ２の間に透明層が位置していてもよいし、表示パネルＰＮＬの側面ＥＳ１と凹部ＲＣの内面ＩＳ１の間に透明層が位置していてもよい。透明層ＬＬＳ１及びＬＬＳ２は、なくともよい。透明層ＬＬＳ１及びＬＬ２の代わりに、側面ＥＳ３及びＥＳ４に表示パネルＰＮＬから出射する光を反射する反射材、例えば、ミラー等が配置されていてもよい。また、凹部ＲＣは、第１方向Ｘ及び第２方向Ｙの少なくとも一方に開口していてもよい。例えば、凹部ＲＣは、第１方向Ｘ側に開口していてもよい。この場合、凹部ＲＣは、内面ＩＳ３及びＩＳ４の少なくとも一方を有していない。例えば、凹部ＲＣは、第２方向Ｙ側に開口していてもよい。この場合、凹部ＲＣは、内面ＩＳ１及びＩＳ２の少なくとも一方を有していない。
【００３９】
図１０は、図９に示したＡ−Ａ線に沿った表示装置ＤＳＰの断面図である。なお、表示パネルＰＮＬについては、主要部のみを図示している。  
図示した例では、凹部ＲＣは、第３方向Ｚにおいて、対向面３０Ｂから主面３０Ａに向かって窪んでいる。凹部ＲＣは、底面ＢＳを有している。底面ＢＳは、第３方向Ｚにおいて、対向面３０Ｂよりも主面３０Ａ側に位置している。内面ＩＳ１乃至ＩＳ４は、それぞれ、底面ＢＳから第３方向Ｚに延出している。
【００４０】
表示パネルＰＮＬは、凹部ＲＣに収納されている。図示した例では、表示パネルＰＮＬにおいて、第１基板ＳＵＢ１は、第２基板ＳＵＢ２よりも底面ＢＳ側に位置している。なお、表示パネルＰＮＬにおいて、第２基板ＳＵＢ２が、第１基板ＳＵＢ１よりも底面ＢＳ側に位置していてもよい。透明層ＬＬ１は、第１基板ＳＵＢ１及び底面ＢＳの間に位置している。言い換えると、透明層ＬＬ１は、主面１０Ａ及び底面ＢＳの間に位置している。透明層ＬＬ１は、図９に示した透明層ＬＬＳ１及びＬＬＳ２と連続していてもよいし、透明層ＬＬＳ１及びＬＬＳ２と別体であってもよい。なお、表示パネルＰＮＬは、第３方向Ｚにおいて、対向面３０Ｂよりも外側に位置していてもよいし、内側に位置していてもよい。また、表示パネルＰＮＬ及び発光素子ＬＤ１は、透明基板３０内に埋め込まれていてもよい。  
このような構成例においても、前述した実施形態と同様の効果が得られる。加えて、透明層ＬＬＳ１は、表示パネルＰＮＬの側面ＥＳ３と凹部ＲＣの内面ＩＳ３との間に位置し、透明層ＬＬＳ２は、表示パネルＰＮＬの側面ＥＳ４と凹部ＲＣの内面ＩＳ４との間に位置している。側面ＥＳ３及びＥＳ４から外側に光が射出することを抑制することができる。そのため、発光素子ＬＤ１から出射された光を表示パネルＰＮＬ内で効率的に利用することが可能となる。したがって、本実施形態によれば、表示品位の低下を抑制することができる。
【００４１】
図１１は、本実施形態の表示装置ＤＳＰの他の構成例を示す断面図である。図１１に示した構成例は、透明基板３０がレンズである点で相違している。なお、表示パネルＰＮＬについては、主要部のみを図示している。  
透明基板３０は、レンズである。図示した例では、透明基板３０は、透明基板１０と同じ大きさである。なお、透明基板３０は、透明基板１０よりも小さくてもよいし、大きくてもよい。第３方向Ｚにおいて、第２基板ＳＵＢ２側から表示パネルＰＮＬを観察する観察位置ＶＰ３から第３基板ＳＵＢ３よりも第３方向Ｚの矢印の向きに位置する観察対象ＯＢ１を観察した場合、表示パネルＰＮＬが透明基板３０に貼り付けられた領域では、透明基板３０により結像された観察対象ＯＢ１を拡大した像（虚像）に相当する観察対象ＯＢ２に重ねて、発光素子ＬＤ１から出射された光により表示パネルＰＮＬに表示された画像を確認することができる。  
このような構成例においても、前述した実施形態と同様の効果が得られる。
【００４２】
以上説明したように、本実施形態によれば、表示品位の低下を抑制することが可能な表示装置を提供することができる。  
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００４３】
本明細書にて開示した構成から得られる表示装置の一例を以下に付記する。  
（１）  
第１主面、第１主面と反対側の第１対向面、及び側面を有する第１透明基板を有する第１基板と、前記第１対向面に対向する第２主面、及び前記第２主面と反対側の第２対向面を有する第２透明基板を有する第２基板と、前記第１基板と前記第２基板との間に位置し、筋状のポリマー及び液晶分子を含む液晶層と、を備える表示パネルと、  
前記側面に対向し、前記側面に向かって光を出射する発光素子と、  
前記表示パネルと対向する第３透明基板と、  
前記表示パネル及び前記第３透明基板の間に位置し、前記第１透明基板及び前記第２透明基板の第１屈折率よりも低い第２屈折率である透明層と、を備えている、表示装置。  
（２）  
前記第３透明基板は、ガラス基板である、（１）に記載の表示装置。  
（３）  
前記第３透明基板は、前記表示パネルよりも大きい、（１）又は（２）に記載の表示装置。  
（４）  
前記第３透明基板は、前記第１主面と対向し、
前記透明層は、前記第１主面に接触している、（１）乃至（３）のいずれか１に記載の表示装置。  
（５）  
前記第３透明基板は、前記第２対向面に対向し、
前記透明層は、前記第２対向面に接触している、（１）乃至（３）のいずれか１に記載の表示装置。  
（６）  
前記第３透明基板は、底面と第１内面と前記第１内面と対向する第２内面とを有する凹部を有し、  
前記表示パネルは、前記凹部に収納されている、（３）に記載の表示装置。  
（７）  
前記表示パネルは、前記側面に交差し、前記第１内面と対向している第１面と、前記第２内面と対向する第２面と有し、  
前記透明層は、前記第１主面及び前記底面の間と、前記第２側面及び前記第１内面の間と、前記第２面及び前記第２内面との間とに位置している、（６）に記載の表示装置。  
（８）  
前記第３透明基板は、レンズである、（１）乃至（７）のいずれか１に記載の表示装置。  
（９）  
前記第３透明基板は、フィルムである、（１）乃至（７）のいずれか１に記載の表示装置。  
（１０）  
前記第３透明基板は、タッチパネルである、（１）乃至（７）のいずれか１に記載の表示装置。  
（１１）  
前記第１基板は、第１主面側に位置する共通電極を有し、  
前記第２基板は、前記第２主面側に位置する走査線及び信号線と、前記走査線及び信号線と電気的に接続されたスイッチング素子と、前記スイッチング素子に電気的に接続され、前記共通電極と対向する画素電極とを有する、（１）乃至（１０）のいずれか１に記載の表示装置。  
（１２）  
前記第２屈折率は、１．０以上１．４１以下である、（１）乃至（１１）のいずれか１項に記載の表示装置。  
（１３）  
第１主面、第１主面と反対側の第１対向面、及び側面を有する第１透明基板を有する第１基板と、前記第１対向面に対向する第２主面、及び前記第２主面と反対側の第２対向面を有する第２透明基板を有する第２基板と、前記第１基板と前記第２基板との間に位置し、筋状のポリマー及び液晶分子を含む液晶層と、を備える表示パネルと、  
前記側面に対向し、前記側面に向かって光を出射する発光素子と、  
前記表示パネルと対向する第３透明基板と、  
前記表示パネル及び前記第３透明基板の間に位置し、前記第１透明基板及び前記第２透明基板の第１屈折率よりも低い第２屈折率である透明層と、を備えている、照明装置。  
（１４）  
第１主面、第１主面と反対側の第１対向面、及び側面を有する第１透明基板を有する第１基板と、前記第１対向面に対向する第２主面、及び前記第２主面と反対側の第２対向面を有する第２透明基板を有する第２基板と、前記第１基板と前記第２基板との間に位置し、筋状のポリマー及び液晶分子を含む液晶層と、前記第１透明基板及び前記第２透明基板の第１屈折率よりも低い第２屈折率であって前記第１主面、又は前記第２対向面の少なくとも一方に設けられた透明層と、を備える表示パネルと、  
前記側面に対向し、前記側面に向かって光を出射する発光素子と、  
を備えている、表示装置。  
（１５）  
第１主面、第１主面と反対側の第１対向面、及び第１側面を有する第１透明基板を有する第１基板と、前記第１対向面に対向する第２主面、前記第２主面と反対側の第２対向面、及び第２側面を有する第２透明基板を有する第２基板と、前記第１基板と前記第２基板との間に位置し、筋状のポリマー及び液晶分子を含む液晶層と、を備える表示パネルと、
前記第１側面に対向し、前記第１側面に向かって光を出射する第１発光素子と、  
前記表示パネルと対向する第３基板と、  
前記表示パネル及び前記第３基板の間に位置し、前記第１透明基板及び前記第２透明基板の第１屈折率よりも低い第２屈折率である第１透明層と、を備えている、表示装置。  
（１６）  
前記第３基板は、前記第１主面に対向し、
前記第１透明層は、前記第１主面に接触している、（１５）に記載の表示装置。  
（１７）  
前記第２対向面と対向する第４基板と、前記第２対向面及び前記第４基板の間に位置し、前記第２屈折率である第２透明層とをさらに備える、（１６）に記載の表示装置。  
（１８）  
前記第２透明層は、前記第２対向面に接触している、（１７）に記載の表示装置。  
（１９）  
前記第２側面に対向し、前記第２側面に向かって光を出射する第２発光素子をさらに備える、（１５）乃至（１８）のいずれか１に記載の表示装置。  
（２０）  
前記第２基板は、前記第１側面から外側に延出している延出部を有している、（１５）乃至（１９）のいずれか１に記載の表示装置。  
（２１）  
前記第３基板は、透明なガラス基板である、（１５）乃至（２０）のいずれか１に記載の表示装置。
【符号の説明】
【００４４】
ＤＳＰ…表示装置  ＰＮＬ…表示パネル  １０、２０、３０…透明基板  Ｇ…走査線  Ｓ…信号線  ＳＷ…スイッチング素子  ＰＥ…画素電極  ＣＥ…共通電極  ＡＬ１、ＡＬ２…配向膜  ＬＬ１、ＬＬ２、ＬＬＳ１、ＬＬＳ２…透明層  ＢＭ…遮光層  
【図１】
2020060644.tif 000003
【図２】
2020060644.tif 000004
【図３】
2020060644.tif 000005
【図４】
2020060644.tif 000006
【図５】
2020060644.tif 000007
【図６】
2020060644.tif 000008
【図７】
2020060644.tif 000009
【図８】
2020060644.tif 000010
【図９】
2020060644.tif 000011
【図１０】
2020060644.tif 000012
【図１１】
2020060644.tif 000013